【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
ワイヤレスネットワーク内でデータを通信するための方法であって、
無線プロトコルに従って動作する第1のモードおよび前記無線プロトコルに従って動作する第2のモードで動作するように、第1のワイヤレスデバイスを構成するステップと、
前記無線プロトコルの第1のバージョンにおいてサポートされる複数のチャネルを含む第1のチャネルリストを生成するステップと、
前記無線プロトコルの前記第1のバージョンの1つまたは複数のレガシーバージョンにおいてサポートされる複数のチャネルを含む第2のチャネルリストを生成するステップであって、前記第2のチャネルリストが、前記第1のチャネルリストにおけるチャネルの少なくともサブセットを含む、生成するステップと、
前記第1のワイヤレスデバイスが前記第2のモードで動作するとき、前記第1のチャネルリストからのチャネル上の他のワイヤレスデバイスからの通信を求めてスキャンするステップと、
前記第1のワイヤレスデバイスが前記第1のモードで動作するとき、前記第2のチャネルリストからのチャネルのみを使用して、前記ワイヤレスネットワーク内で通信をセットアップするステップと
を含む方法。
【請求項２】
前記第1のチャネルリストが、IEEE 802.11acチャネル構成内で動作するチャネルを含む、請求項1に記載の方法。
【請求項３】
前記第2のチャネルリストが、IEEE 802.11nチャネル構成内で動作するチャネルを含む、請求項1に記載の方法。
【請求項４】
前記第2のチャネルリストが、IEEE 802.11aチャネル構成内で動作するチャネルを含む、請求項1に記載の方法。
【請求項５】
前記第1のワイヤレスデバイスが、前記第2のモードでステーションとして動作し、前記第1のワイヤレスデバイスが、前記第1のモードでアクセスポイントとして動作する、請求項1に記載の方法。
【請求項６】
前記第1のチャネルリストがチャネル144を収容し、前記第2のチャネルリストがチャネル144を除外する、請求項1に記載の方法。
【請求項７】
前記無線プロトコルがIEEE 802.11である、請求項1に記載の方法。
【請求項８】
前記無線プロトコルの前記第1のバージョンがIEEE 802.11acである、請求項1に記載の方法。
【請求項９】
前記レガシーバージョンがIEEE 802.11aおよびIEEE 802.11nを含む、請求項1に記載の方法。
【請求項１０】
20MHzチャネルへのサポートを要求するワイヤレスデバイスのために、チャネル144をプライマリチャネルとして使用することを回避することによって、前記ワイヤレスネットワーク内で通信をセットアップするステップ
をさらに含む請求項1に記載の方法。
【請求項１１】
40MHzチャネルおよび80MHzチャネルへのサポートを要求するワイヤレスデバイスのために、チャネル144をセカンダリチャネルとして使用することを回避することによって、前記ワイヤレスネットワーク内で通信をセットアップするステップ
をさらに含む請求項1に記載の方法。
【請求項１２】
前記ワイヤレスネットワークに関連付けをするワイヤレスデバイスの特性を追跡するステップと、
前記特性に基づいて、前記第1のチャネルリストまたは前記第2のチャネルリストのうちの選択された1つにおけるチャネルを調整するステップと
をさらに含む請求項1に記載の方法。
【請求項１３】
1つまたは複数の追加のチャネルが前記無線プロトコルの異なるバージョンによってサポートされるとき、前記第2のチャネルリストにおけるチャネルを調整するステップ
をさらに含む請求項1に記載の方法。
【請求項１４】
無線トランシーバと、メモリとを含む通信モジュールを備える無線デバイスであって、
前記メモリが、チャネライゼーションモジュール、ならびに第1のチャネルリストおよび第2のチャネルリストを含み、
命令を有する前記チャネライゼーションモジュールが、前記無線トランシーバによって実行されるとき、
ワイヤレスネットワーク内で通信をセットアップするために、前記第1のチャネルリストを使用して第1のモードで動作し、
ワイヤレスネットワーク内の通信を求めてスキャンするために、前記第2のチャネルリストを使用して第2のモードで動作し、前記第1のモードが無線プロトコルに従って動作し、前記第2のモードが前記無線プロトコルに従って動作し、前記第2のチャネルリストが、前記第1のチャネルリストにおけるチャネルの少なくともサブセットを含み、前記第1のチャネルリストが、前記無線プロトコルの第1のバージョンにおいてサポートされる複数のチャネルを含み、前記第2のチャネルリストが、前記無線プロトコルの1つまたは複数のレガシーバージョンにおいてサポートされる複数のチャネルを含み、
無線デバイスが前記第2のモードで動作するとき、前記第1のチャネルリストからのチャネル上の他の無線デバイスからの通信を求めてスキャンし、
前記無線デバイスが前記第1のモードで動作するとき、前記第2のチャネルリストからのチャネルのみを使用して前記ワイヤレスネットワーク内で通信をセットアップする、
無線デバイス。
【請求項１５】
前記第1のチャネルリストが、IEEE 802.11acチャネル構成内で動作するチャネルを含む、請求項14に記載の無線デバイス。
【請求項１６】
前記第2のチャネルリストが、IEEE 802.11nチャネル構成内で動作するチャネルを含む、請求項14に記載の無線デバイス。
【請求項１７】
前記第2のチャネルリストが、IEEE 802.11aチャネル構成内で動作するチャネルを含む、請求項14に記載の無線デバイス。
【請求項１８】
前記無線デバイスが、前記第2のモードでステーションとして動作し、前記無線デバイスが、前記第1のモードでアクセスポイントとして動作する、請求項14に記載の無線デバイス。
【請求項１９】
前記第1のチャネルリストがチャネル144を収容し、前記第2のチャネルリストがチャネル144を除外する、請求項14に記載の無線デバイス。
【請求項２０】
前記無線プロトコルがIEEE 802.11である、請求項14に記載の無線デバイス。
【請求項２１】
前記無線プロトコルの前記第1のバージョンがIEEE 802.11acである、請求項14に記載の無線デバイス。
【請求項２２】
前記レガシーバージョンがIEEE 802.11aおよびIEEE 802.11nを含む、請求項14に記載の無線デバイス。
【請求項２３】
さらなる命令を有する前記通信モジュールが、無線トランシーバ上で実行されるとき、
20MHzチャネルへのサポートを要求するワイヤレスデバイスのために、チャネル144をプライマリチャネルとして使用することを回避することによって、前記ワイヤレスネットワーク内で通信をセットアップする、
請求項14に記載の無線デバイス。
【請求項２４】
さらなる命令を有する前記通信モジュールが、無線トランシーバ上で実行されるとき、
40MHzチャネルおよび80MHzチャネルへのサポートを要求するワイヤレスデバイスのために、チャネル144をセカンダリチャネルとして使用することを回避することによって、前記ワイヤレスネットワーク内で通信をセットアップする、
請求項14に記載の無線デバイス。
【請求項２５】
さらなる命令を有する前記通信モジュールが、無線トランシーバ上で実行されるとき、
前記ワイヤレスネットワークに関連付けをする無線デバイスの特性を追跡し、
前記特性に基づいて、前記第1のチャネルリストまたは前記第2のチャネルリストのうちの選択された1つにおけるチャネルを調整する、
請求項14に記載の無線デバイス。
【請求項２６】
さらなる命令を有する前記通信モジュールが、無線トランシーバ上で実行されるとき、
1つまたは複数の追加のチャネルが前記無線プロトコルの異なるバージョンによってサポートされるとき、前記第1のチャネルリストにおけるチャネルを調整する、
請求項14に記載の無線デバイス。
【請求項２７】
プロセッサ上で実行されるとき、
ワイヤレスネットワーク内で通信をセットアップするために、第1のチャネルリストを使用して第1のモードでワイヤレスデバイスを動作させ、
ワイヤレスネットワーク内の通信を求めてスキャンするために、第2のチャネルリストを使用して第2のモードで前記ワイヤレスデバイスを動作させ、前記第1のモードが無線プロトコルに従って動作し、前記第2のモードが前記無線プロトコルに従って動作し、前記第2のチャネルリストが、前記第1のチャネルリストにおけるチャネルの少なくともサブセットを有し、前記第1のチャネルリストが、前記無線プロトコルの第1のバージョンにおいてサポートされる複数のチャネルを含み、前記第2のチャネルリストが、前記無線プロトコルの1つまたは複数のレガシーバージョンにおいてサポートされる複数のチャネルを含み、
第1のワイヤレスデバイスが前記第2のモードで動作するとき、前記第1のチャネルリストからのチャネル上の他のワイヤレスデバイスからの通信を求めてスキャンし、
前記ワイヤレスデバイスが前記第1のモードで動作するとき、前記第2のチャネルリストからのチャネルのみを使用して前記ワイヤレスネットワーク内で通信をセットアップする、
第1の組のプロセッサ実行可能命令を含む
非一時的マシン可読記憶媒体。
【請求項２８】
前記第1のチャネルリストが、IEEE 802.11acチャネル構成内で動作するチャネルを含む、請求項27に記載の非一時的マシン可読記憶媒体。
【請求項２９】
前記第2のチャネルリストが、IEEE 802.11nチャネル構成内で動作するチャネルを含む、請求項27に記載の非一時的マシン可読記憶媒体。
【請求項３０】
前記第2のチャネルリストが、IEEE 802.11aチャネル構成内で動作するチャネルを含む、請求項27に記載の非一時的マシン可読記憶媒体。
【請求項３１】
前記ワイヤレスデバイスが、前記第2のモードでステーションとして動作し、前記ワイヤレスデバイスが、前記第1のモードでアクセスポイントとして動作する、請求項27に記載の非一時的マシン可読記憶媒体。
【請求項３２】
前記第1のチャネルリストがチャネル144を収容し、前記第2のチャネルリストがチャネル144を除外する、請求項27に記載の非一時的マシン可読記憶媒体。
【請求項３３】
前記無線プロトコルがIEEE 802.11である、請求項27に記載の非一時的マシン可読記憶媒体。
【請求項３４】
前記無線プロトコルの前記第1のバージョンがIEEE 802.11acである、請求項27に記載の非一時的マシン可読記憶媒体。
【請求項３５】
前記レガシーバージョンがIEEE 802.11aおよびIEEE 802.11nを含む、請求項27に記載の非一時的マシン可読記憶媒体。
【請求項３６】
ワイヤレスネットワーク内で通信するための方法であって、
第1の組のワイヤレスデバイスおよび第2の組のワイヤレスデバイスで動作するように前記ワイヤレスネットワークを構成するステップであって、前記第1の組のワイヤレスデバイスが無線プロトコルを用いて動作し、前記第2の組のワイヤレスデバイスが前記無線プロトコルを用いて動作し、前記第1の組のワイヤレスデバイスが、前記無線プロトコルの第1のバージョンで動作するように構成され、前記第2の組のワイヤレスデバイスが、前記無線プロトコルの少なくとも1つのレガシーバージョンで動作するように構成され、前記無線プロトコルの前記第1のバージョンが、各レガシーバージョンによってサポートされていない少なくとも1つの追加のチャネルを含む、構成するステップと、
前記少なくとも1つのレガシーバージョンで動作するように構成された前記第2の組のワイヤレスデバイスからのワイヤレスデバイスのために、少なくとも1つの動作チャネルをセットアップするステップであって、前記動作チャネルが前記少なくとも1つの追加のチャネルを除外する、セットアップするステップと
を含む方法。
【請求項３７】
前記第1の組における第1のワイヤレスデバイスから、サポートされるチャネル幅のリストを指し示す通信を、前記第2の組における第2のワイヤレスデバイスおよび前記第1の組における第3のワイヤレスデバイスによって受信するステップであって、サポートされるチャネル幅の前記リストが、前記第2のワイヤレスデバイスにとって、前記無線プロトコルの第2のバージョンと互換性のあるものとして現れ、サポートされるチャネル幅の前記リストが、前記第3のワイヤレスデバイスにとって、前記無線プロトコルの前記第1のバージョンと互換性のあるものとして現れる、受信するステップ
をさらに含む請求項36に記載の方法。
【請求項３８】
前記無線プロトコルがIEEE 802.11である、請求項36に記載の方法。
【請求項３９】
前記無線プロトコルの前記第1のバージョンがIEEE 802.11acである、請求項36に記載の方法。
【請求項４０】
前記無線プロトコルの前記レガシーバージョンがIEEE 802.11nである、請求項36に記載の方法。
【請求項４１】
前記無線プロトコルの前記レガシーバージョンがIEEE 802.11aである、請求項36に記載の方法。
【請求項４２】
前記少なくとも1つの追加のチャネルがチャネル144である、請求項36に記載の方法。